(57)【要約】【課題】簡素な構成の紙葉類搬送装置の通信システムを提供する。【解決手段】搬送路２０内で紙幣が重なってしまうことを防止する中継コントローラ部６０を遊技用媒体貸出機１１内に備えたので、中継コントローラ部６０を単独で設置する必要が無く、構成が簡素化されてコストダウンを図ることができるとともに、設置作業負担を軽減することができる。また、遊技用媒体貸出機１１での処理に関するデータ（売り上げデータなど）と、搬送検出センサ３５で検出された紙幣の通過状況のデータとを島中継器信号線５０を通じて島中継器５５に送信するものとしたので、売り上げデータ送信用の信号線と紙幣の通過状況のデータを送信する信号線とを個別に備える必要が無く、構成が簡素化されてコストダウンを図ることができるとともに設置作業負担を軽減することができる。【選択図】図１
2008056395.tif 000002
【特許請求の範囲】
【請求項１】
搬送路に沿って複数の投入機が設置され、投入機に投入された紙葉類をそれぞれ導入路を経て搬送路へ合流させて、搬送路で収納部へ搬送する紙葉類搬送装置の通信システムにおいて、
搬送路の前記投入機からの導入路との合流点ごとにその所定距離上流に設けられ、搬送路を搬送される紙葉類を検出する搬送検出センサと、
該搬送検出センサからの信号が入力され、前記合流点で紙葉類が重ならないように前記投入機から導入路へ送られる前記紙葉類の制御を行う制御部と、
前記投入機での処理に関するデータと、前記搬送検出センサからのデータとを受信し、前記投入機の制御を行う管理装置と、
前記投入機と前記管理装置とを接続する通信ケーブルとを備え、
前記制御部は前記投入機内に構成され、前記投入機での処理に関するデータと、前記搬送検出センサからのデータとが、前記通信線を介して前記管理装置に入力されることを特徴とする紙葉類搬送装置の通信システム。
【発明の詳細な説明】
【技術分野】
【０００１】
本発明は、複数の投入機から投入される紙幣などの紙葉類を収納部へ搬送する紙葉類搬送装置の通信システムに関する。
【背景技術】
【０００２】
従来、紙葉類を搬送する装置として、例えば遊技用媒体貸出機に投入された紙幣を搬送ベルト等に挟持して島端の回収装置へ搬送する紙幣搬送装置がある。
すなわち、搬送ベルト等を備える搬送路の両側に背中合わせに並べられた遊技台の間に、遊技用媒体貸出機が設置され、それぞれ導入路により搬送路に接続されていて、紙幣を遊技用媒体貸出機から導入路を経て搬送路に合流させるようにしている。
このような装置では、回収される紙幣は島ごとに売上を管理することからその枚数を計数する必要があるが、遊技用媒体貸出機が複数の遊技台に隣接して多数設置され、各遊技用媒体貸出機から任意に紙幣が投入されると、搬送ベルト上で搬送中の紙幣と重なってしまい正確な計数が不可能になるという問題がある。
【０００３】
そこで、搬送ベルト上で紙幣が重ならないようにした装置が提案されている。
この装置では、図３に示すように、破線で示す搬送路２０の両側に背中合わせに並べられたパチンコ台４０の間に、遊技用媒体貸出機としての玉貸機４１Ｌ、４１Ｒが設置され、各玉貸機が導入路１５Ｌ、１５Ｒ（図中破線で示す）により搬送路２０に接続されており、玉貸機４１Ｌ、４１Ｒの投入口から投入された紙幣を導入路１５Ｌ、１５Ｒを経て搬送路２０に合流させるようにしている。
また、対向する玉貸機４１Ｌ、４１Ｒを制御する中継コントローラ３０を備え、さらに搬送路２０において導入路１５Ｌ、１５Ｒが合流する位置よりも所定距離上流側（図３中において、紙幣は右側から左側へ向けて移動する）に搬送路２０内を流れる紙幣を検出する搬送検出センサ３５を備える。
搬送検出センサ３５は、中継コントローラ３０に接続されている。
【０００４】
玉貸機４１Ｌ、４１Ｒ、および中継コントローラ３０は、対向検出通信ケーブル３１によって接続されている。
中継コントローラ３０は、対向する玉貸機４１Ｌ、４１Ｒに入れられた紙幣が導入路１５Ｌ、１５Ｒの合流点で重ならないように、玉貸機４１Ｌ、４１Ｒが導入路１５Ｌ、１５Ｒに紙幣を送り出すタイミングを制御している。
さらに中継コントローラ３０は、搬送検出センサ３５によって紙幣の通過が検出されると、搬送路２０を流れる紙幣と導入路１５Ｌ、１５Ｒから搬送路２０へ送られた紙幣とが重なることが無いように玉貸機４１Ｌ、４１Ｒが導入路１５Ｌ、１５Ｒへ紙幣を送り出すタイミングを制御している。
【０００５】
玉貸機４１Ｌ、４１Ｒでの処理に関するデータ（売り上げデータなど）を島ごとに管理する島管理機１２を備え、玉貸機４１Ｌ、４１Ｒと島管理機１２とが貸出機通信ケーブル１３によって接続されている。
また中継コントローラ３０も搬送通信ケーブル３２によって島管理機１２に接続され、紙幣の通過状況などを島管理機１２に送信する。
島管理機１２は、ＬＡＮ１４によって図示しない中央管理システムに接続されている。
このような装置と同様のものが、たとえば特開２００３−２８８６３１号公報に記載されている。
【特許文献１】特開２００３−２８８６３１号公報
【発明の開示】
【発明が解決しようとする課題】
【０００６】
しかしながら、このような従来の装置においては、搬送検出センサ３５の検出データを島管理機１２に送信する際に中継コントローラ３０を介してデータ送信の制御を行う必要があり、中継コントローラ３０と搬送通信ケーブル３２の設置および配線が必要となって設置作業が複雑となっていた。
また玉貸機４１Ｌ、４１Ｒおよび中継コントローラ３０側から島管理機１２にデータを送信するために、貸出機通信ケーブル１３と搬送通信ケーブル３２とが必要となり、配線作業が複雑になるとともに配線ミスを引き起こす恐れもあった。
【０００７】
そこで本発明はこのような問題点に鑑み、簡素な構成の紙葉類搬送装置の通信システムを提供することを目的とする。
【課題を解決するための手段】
【０００８】
本発明は、搬送路に沿って複数の投入機が設置され、投入機に投入された紙葉類をそれぞれ導入路を経て搬送路へ合流させて、搬送路で収納部へ搬送する紙葉類搬送装置の通信システムにおいて、搬送路の投入機からの導入路との合流点ごとにその所定距離上流に設けられ、搬送路を搬送される紙葉類を検出する搬送検出センサと、該搬送検出センサからの信号が入力され、合流点で紙葉類が重ならないように投入機から導入路へ送られる紙葉類の制御を行う制御部と、投入機での処理に関するデータと、搬送検出センサからのデータとを受信し、投入機の制御を行う管理装置と、投入機と管理装置とを接続する通信ケーブルとを備え、制御部は投入機内に構成され、投入機での処理に関するデータと、搬送検出センサからのデータとが、通信線を介して管理装置に入力されるものとした。
【発明の効果】
【０００９】
本発明によれば、合流点で紙葉類が重ならないように制御する制御部を投入機内に構成することにより、個別に制御部を設置する必要が無くなり設置作業負担の軽減やコストダウンを図ることができる。また、投入機での処理に関するデータと、搬送検出センサからのデータとを通信ケーブルのみを用いて管理装置に送信するものとしたので、それぞれのデータ専用に個別に通信ケーブルを敷設する必要が無く、設置負担の低減やコストダウンを図ることができる。
【発明を実施するための最良の形態】
【００１０】
次に本発明の実施の形態を実施例により説明する。
図１は本発明を複数の遊技用媒体貸出機からの紙幣を共通の収納部へ搬送する紙幣搬送装置に適用した実施例の構成を示す図である。
投入機としての遊技用媒体貸出機１１（１１Ｌ、１１Ｒ）は複数の遊技台１０（例えばパチンコ台あるいはパチスロ台など）に隣接して設置されたパチンコ台間遊技用媒体貸出機やメダル台間貸機であって、搬送路２０の両側に背中合わせに設けられている。各遊技用媒体貸出機１１は紙幣投入口を有し、内部に紙幣の受け入れ遅延動作機構６１を有している。なお、遊技用媒体貸出機１１の内部にはさらに中継コントローラ部６０（詳しくは後述する）や、図示しない紙幣鑑別機も備えられている。
遊技用媒体貸出機１１と搬送路２０は導入路１５（１５Ｌ、１５Ｒ）により接続されている。
なお、図１中において搬送路２０および導入路１５は破線で示してある。
【００１１】
搬送路２０の一端には、遊技用媒体貸出機１１から導入路１５を経て搬送路２０へ送られた紙幣を整列して収納する収納部２１（図１中、破線で示す）が設けられている。
搬送路２０にはさらに各導入路１５との合流点Ｐより所定距離Ｌだけ上流側（図１中において、紙幣は右側から左側へ向けて移動する）に搬送路２０を移動する紙幣を検出する搬送検出センサ３５が設置されている。
搬送検出センサ３５を設置する所定距離Ｌは、搬送検出センサ３５が紙幣を検出した時点で遊技用媒体貸出機１１から繰り出された紙幣が合流点Ｐを通過した後、搬送検出センサ３５で検出された紙幣が当該合流点Ｐに到達する長さに設定してある。
【００１２】
搬送検出センサ３５は遊技用媒体貸出機１１Ｒに接続され、検出結果が遊技用媒体貸出機１１Ｒに入力される。
遊技用媒体貸出機１１Ｌ、１１Ｒはそれぞれ対向するもの同士が対向検出通信ケーブル５１によって接続されている。
遊技用媒体貸出機１１は、内部に中継コントローラ部６０を備えている。
なお中継コントローラ部６０によって行われる処理は、遊技用媒体貸出機１１の本来の機能である投入された紙葉類の計数や、媒体貸し出しのための演算処理を行うＣＰＵを用いて行われる。
【００１３】
中継コントローラ部６０は、搬送検出センサ３５からの検出信号を取り込み、遅延動作機構６１に対して、保持信号または解除信号を送出する。
解除信号は遊技用媒体貸出機１１から導入路１５への紙幣の繰り出しを許可するもので、保持信号は紙幣の繰り出しを禁止する。
したがって、遊技用媒体貸出機１１は保持信号を受けている間に紙幣投入口に紙幣が投入されると、受け入れ遅延動作機構６１が紙幣の受け入れ遅延動作を繰り返す。この受け入れ遅延動作は、紙幣を紙幣投入口で一旦は受け入れるが直ちに返却するもので、特開平６−１８３５９３号公報に示した受け入れ遅延動作機能と同じである。
【００１４】
中継コントローラ部６０は、対向する遊技用媒体貸出機１１Ｌ、１１Ｒに備えられた中継コントローラ部６０と対向検出通信ケーブル５１を通じて通信を行い、対向する遊技用媒体貸出機１１Ｌ、１１Ｒに入れられた紙幣が導入路１５Ｌ、１５Ｒの合流点で重ならないように、遅延動作機構６１に保持信号または解除信号を送出する。
さらに中継コントローラ部６０は、搬送検出センサ３５によって紙幣の通過が検出されると、搬送路２０を流れる紙幣と導入路１５Ｌ、１５Ｒから搬送路２０へ送られた紙幣とが重なることが無いように遅延動作機構６１に保持信号または解除信号を送出する。
【００１５】
遊技用媒体貸出機１１は、島中継器信号線５０を介して島中継器５５に接続されている。
島中継器信号線５０は、半二重シリアル通信（ＲＳ４８５規格など）が用いられ、一対複数のマルチドロップ接続に対応している。
遊技用媒体貸出機１１は、該遊技用媒体貸出機１１での処理に関するデータ（売り上げデータなど）を島中継器信号線５０によって送信可能な信号にプログラム上で変換し、島中継器信号線５０を通じて島中継器５５に送信する。
さらに遊技用媒体貸出機１１は、搬送検出センサ３５によって検出された紙幣の通過状況などのデータを島中継器信号線５０によって送信可能な信号にプログラム上で変換し、島中継器信号線５０を通じて島中継器５５に送信する。
【００１６】
島中継器５５は、通信線５２を介して島管理機１２と接続されている。
島中継器５５は、島中継器信号線５０を通じて入力された遊技用媒体貸出機１１での処理に関するデータ（売り上げデータなど）や紙幣の通過状況などのデータを、島管理機１２において利用可能なようにプログラム上で再変換し、変換後のデータを通信線５２を通じて島管理機１２に送信する。
【００１７】
島管理機１２は、遊技用媒体貸出機１１Ｌ、１１Ｒでの処理に関するデータ（売り上げデータなど）を島ごとに管理したり、通過する紙幣の管理などを行う。
また島管理機１２は、島中継器５５を通じて遊技用媒体貸出機１１の制御を行う。
島中継器５５は、ＬＡＮ１４によって図示しない中央管理システムなどに接続されている。
なお本実施例において、遊技用媒体貸出機１１が本発明における投入機を構成し、中継コントローラ部６０が本発明における制御部を構成する。また島管理機１２および島中継器５５が本発明における管理装置を構成し、島中継器信号線５０が本発明における通信ケーブルを構成する。
【００１８】
本実施例は以上のように構成され、対向する遊技用媒体貸出機１１Ｌ、１１Ｒに投入された紙幣が導入路１５Ｌ，１５Ｒの合流点で重なってしまうことを防止したり、搬送路２０を流れる紙幣と導入路１５Ｌ、１５Ｒから搬送路２０に合流した紙幣とが重なってしまうことを防止する中継コントローラ部６０を遊技用媒体貸出機１１内に備えたので、中継コントローラ部６０を単独で設置する必要が無い。
また、島中継器５５と遊技用媒体貸出機１１とを半二重シリアル通信（ＲＳ４８５規格など）の島中継器信号線５０によって接続し、遊技用媒体貸出機１１での処理に関するデータ（売り上げデータなど）と、搬送検出センサ３５によって検出された紙幣の通過状況のデータとを島中継器信号線５０を通じて島中継器５５に送信するものとしたので、処理に関するデータ（売り上げデータなど）送信用の信号線と紙幣の通過状況のデータを送信する信号線とを個別に備える必要が無く、構成が簡素化されてコストダウンを図ることができる。
【００１９】
中継コントローラ部６０が遊技用媒体貸出機１１と一体に構成され、さらに遊技用媒体貸出機１１と島中継器５５とを接続する信号線が島中継器信号線５０のみでよいため、配線が簡素化されて、配線ミスの軽減や各装置の設置作業負担の軽減を図ることができる。
【００２０】
なお上記実施例において、対向検出通信ケーブル５１を用いて対向する遊技用媒体貸出機１１Ｌ、１１Ｒ同士を接続するものとしたが、図２に示すように対向検出通信ケーブル５１を省略し、遊技用媒体貸出機１１Ｌの中継コントローラ部６０と遊技用媒体貸出機１１Ｒの中継コントローラ部６０同士の通信を島中継器信号線５０を用いて行うようにしてもよい。
この場合には対向検出通信ケーブル５１を備える必要がないため、構造がより簡素化されて配線ミスや各装置の設置作業の負担の軽減、コストダウンをより一層図ることができる。
【図面の簡単な説明】
【００２１】
【図１】実施例の構成を示す図である。
【図２】変形例の構成を示す図である。
【図３】従来例の構成を示す図である。
【符号の説明】
【００２２】
１０    遊技台
１１、１１Ｌ、１１Ｒ    遊技用媒体貸出機
１２    島管理機
１４    ＬＡＮ
１５、１５Ｌ、１５Ｒ    導入路
２０    搬送路
２１    収納部
３５    搬送検出センサ
５０    島中継器信号線
５１    対向検出通信ケーブル
５２    通信線
５５    島中継器
６０    中継コントローラ部
６１    遅延動作機構
【図１】
2008056395.tif 000003
【図２】
2008056395.tif 000004
【図３】
2008056395.tif 000005